(57)【特許請求の範囲】
【請求項１】
開口を有する配線用ボックスと、前記開口の一部又は全部を閉塞すべく前記配線用ボックスの開口側に取り付けられるボックスカバーとからなり、
前記配線用ボックスには、間隔をおいて凸状に形成された第１係合部及び第２係合部からなる係合部が形成され、前記ボックスカバーには間隔をおいて設けられた第１被係合部及び第２被係合部からなる被係合部が形成されてなり、
前記ボックスカバーは、前記配線用ボックスの開口を閉塞する第１位置と、前記配線用ボックスの開口を露出させる第２位置との間を、前記配線用ボックスの開口面に当接した状態で摺動可能に設けられ、 
前記ボックスカバーが前記配線用ボックスの開口面に当接した状態で前記開口を閉塞する方向への移動により前記第１位置で前記第１係合部と第１被係合部と、かつ、前記第２係合部と第２被係合部とが係合し、ボックスカバーは前記配線用ボックスの開口面に当接した状態で前記開口を露出させる方向への移動により前記第２位置で前記第２係合部と前記第１被係合部とが係合するとともに、第１位置と第２位置との間において前記係合部と前記被係合部との間の係合が解除されて前記配線用ボックスから前記ボックスカバーが取外し可能に構成され、
前記第１被係合部及び第２被係合部は、前記凸状に形成された第１係合部及び第２係合部に係合する前記摺働方向の係合溝を有し、前記第１被係合部の係合溝はストッパ部で分割されて両端に第１差込口と第２差込口を有し、該ボックスカバーが配線用ボックスの開口を閉塞すべく摺動する際に前記第１係合部が該第１差込口から前記第１被係合部の係合溝に差し込まれて係合し、該ボックスカバーが該開口を露出すべく摺動する際に前記第２係合部が該第２差込口から前記第１被係合部の係合溝に差し込まれて係合することを特徴とする配線用ボックス装置。
【請求項２】
前記被係合部がボックスカバーの裏面から突設された突設部分を備え、且つ、該ボックスカバーが配線用ボックスの開口面に当接した状態において前記被係合部の前記突設部分から前記配線用ボックス側に垂下した部分が該配線用ボックスの周壁に当接可能に設けられていることを特徴とする請求項１に記載の配線用ボックス装置。
【請求項３】
前記係合部は、配線用ボックスの周壁外方に形成されてなることを特徴とする請求項１または２に記載の配線用ボックス装置。
【請求項４】
前記ボックスカバーは、前記配線用ボックスの開口を全閉することを特徴とする請求項１乃至請求項３の何れか１項に記載の配線用ボックス装置。
【請求項５】
前記ボックスカバーが前記開口面を閉じる方向へ移動して前記開口面を全閉にした状態から前記ボックスカバーの戻り方向への移動を規制する、該ボックスカバーの裏面側へ突出するように規制部を前記ボックスカバーに設けたことを特徴とする請求項１乃至請求項４の何れか１項に記載の配線用ボックス装置。
【請求項６】
開口を有する配線用ボックスの前記開口の一部又は全部を閉塞すべく前記配線用ボックスの開口側に取り付けられるボックスカバーであって、
前記配線用ボックスには、間隔をおいて凸状に形成された第１係合部及び第２係合部からなる係合部が形成され、前記ボックスカバーには間隔をおいて設けられた第１被係合部及び第２被係合部からなる被係合部が形成されてなり、
前記ボックスカバーは、前記配線用ボックスの開口を閉塞する第１位置と、前記配線用ボックスの開口を露出させる第２位置との間を、前記配線用ボックスの開口面に当接した状態で摺動可能に設けられ、 
前記ボックスカバーが前記配線用ボックスの開口面に当接した状態で前記開口を閉塞する方向への移動により前記第１位置で前記第１係合部と第１被係合部と、かつ、前記第２係合部と第２被係合部とが係合し、前記ボックスカバーは前記配線用ボックスの開口面に当接した状態で前記開口を露出させる方向への移動により前記第２位置で前記第１係合部と前記第２被係合部とが係合するとともに、第１位置と第２位置との間において前記係合部と前記被係合部との間の係合が解除されて前記配線用ボックスから前記ボックスカバーが取外し可能に構成され、
前記第１被係合部及び第２被係合部は、前記摺動方向の係合溝を有し、前記第１被係合部の係合溝はストッパ部で分割されて両端に第１差込口と第２差込口を有し、該ボックスカバーが配線用ボックスの開口を閉塞すべく摺動する際に前記第１係合部が該第１差込口から前記第１被係合部の係合溝に差し込まれて係合し、該ボックスカバーが該開口を露出すべく摺動する際に前記第２係合部が該第２差込口から前記第１被係合部の係合溝に差し込まれて係合することを特徴とするボックスカバー。
【請求項７】
前記被係合部がボックスカバーの裏面から突設された突設部分を備え、且つ、配線用ボックスの開口面に当接した状態において前記被係合部の前記突設部分から前記ボックス側に垂下した部分が該配線用ボックスの周壁に当接可能に設けられていることを特徴とする請求項６に記載のボックスカバー。
【請求項８】
前記ボックスカバーは、前記配線用ボックスの開口を全閉することを特徴とする請求項６または７に記載のボックスカバー。
【請求項９】
前記ボックスカバーが前記開口面を閉じる方向へ移動して前記開口面を全閉にした状態から前記ボックスカバーの戻り方向への移動を規制する、該ボックスカバーの裏面側へ突出するように規制部を前記ボックスカバーに設けたことを特徴とする請求項６乃至請求項８の何れか１項に記載のボックスカバー。
【発明の詳細な説明】
【技術分野】
【０００１】
本発明は、壁裏や二重天井内に設置されて、コンセント等の各種配線器具と配線との接続や、配線と配線との接続部を収容する配線用ボックス装置及びボックスカバーに関するものである。
【背景技術】
【０００２】
図１７乃至図１９は、二重天井内に設けられる配線用ボックス装置、いわゆる、ブランクタイプの配線用ボックス装置を示す。当該配線用ボックス装置は、特許文献１に記載されている。
【０００３】
【特許文献１】特開２００５−２６９８６６
【０００４】
図１７は、配線用ボックス装置１００を配線用ボックス１０１とボックスカバー１０２とに分解した状態の斜視図を示す。図１８は、配線用ボックス１０１にボックスカバー１０２を当接した状態を示す図であって、図１７中、配線用ボックス１０１の背面側から観た状態の図である。図１９は、配線用ボックス１０１を開状態のまま該配線用ボックス１０１にボックスカバー１０２を取り付けた状態を示す斜視図である。
【０００５】
図１７に示すように、この種の配線用ボックス装置１００は、上のフロアの床（図示せず）の下面と鉄骨Ｔとの間に取付けられた吊ボルトＶに配線用ボックスの裏面を取り付けた状態で二重天井内に設けられるものである。
【０００６】
当該配線用ボックス装置１００は、配線用ボックス１０１と、ボックスカバー１０２とを備えた構成である。該配線用ボックス１０１は、前面に開口１０３が設けられ、周壁１０４には、ノックアウト部１０５が設けられている。必要に応じて該ノックアウト部１０５を打ち抜いて、該配線用ボックス１０１内へ配線を導いて、例えば、配線同士を該配線用ボックス１０１内で接続できるようになっている。
【０００７】
前記配線用ボックス１０１の周壁１０４には、第１係合部１０６と第２係合部１０７とが設けられている。又、ボックスカバー１０２には、第１被係合部１０８と第２被係合部１０９とが設けられている。
【０００８】
前記第１係合部１０６、第２係合部１０７は、配線用ボックスの１０１周壁１０４から外方へ突状に形成されている。又、図１８に示すように、前記第１被係合部１０８、第２被係合部１０９は、スライド溝１１０を有している。該各スライド溝１１０は、一端側が、差込口１１１になり、他端側がストッパ面１１２に成っている。
【０００９】
このように構成された背景技術による配線用ボックス装置１００において、配線用ボックス１０１の開口１０３を閉塞する場合、図１８に示すように、配線用ボックス１０１に対して、ボックスカバー１０２を当接させる。図１８に示す状態から、ボックスカバー１０２を下方へ押し下げると、第１係合部１０６が、第１被係合部１０８の差込口１１１からスライド溝１１０内へ進入する。又、第２係合部１０７が、第２被係合部１０９の差込口１１１からスライド溝１１０内へ進入する。そして、ボックスカバー１０２を更に下方へ押し下げると、第１係合部１０６が、第１被係合部１０８のストッパ面１１２に当たり、又、第２係合部１０７が第２被係合部１０９のストッパ面１１２に当たって、ボックスカバー１０２が停止する。この状態が、配線用ボックス１０１の開口１０３が閉塞した状態である。
【００１０】
請求項２にかかる配線用床材は、請求項１に記載の引込部が、前記配線床ブロックの天板の一部をノックアウトによる打抜きによって開口するものである。
【００１１】
そして、必要に応じて、配線用ボックス１０１内の配線状態を修理、点検することが行われるが、その際、作業者は、図１９に示すように、配線用ボックス１０１の開口状態になった開口１０３内へ手を差し込んで、配線状態の修理、点検を行うことができる。
【発明の開示】
【発明が解決しようとする課題】
【００１２】
ところで、二重天井内は、通常、暗闇に近い状態になっているため、前述のように、配線状態の修理、点検を行う場合、作業者は懐中電灯を点灯させながら、手探り状態に近い状態で、この種の作業を行うことが一般的である。
【００１３】
そして、前述の配線用ボックス１０１においては、手探り状態に近い状態で、ボックスカバー１０２を配線用ボックス１０１に対してスライドさせて、ボックスカバー１０２を配線用ボックス１０１から一旦取り外し、その後、図１９に示すように、第１係合部１０６に第２被係合部１０９を係合させて、配線用ボックス１０１の開口１０３を露出させた状態で、前述の修理、点検作業を行う必要があった。このため、従来から、配線状態の修理、点検に際し、二重天井内のように暗闇に近い環境であっても、配線用ボックス１０１の開口の開閉をスムーズに行うことのできる配線用ボックス装置１００が臨まれていた。
【００１４】
本発明は、前述の背景技術に鑑みてなされたもので、その目的は、ボックスカバーを配線用ボックスから取り外すことなく、配線用ボックスの開口を閉塞でき、又、該開口を露出させることができるようにした配線用ボックス装置を提供するにある。
【課題を解決するための手段】
【００１５】
請求項１に記載の発明は、開口を有する配線用ボックスと、前記開口の一部又は全部を閉塞すべく前記配線用ボックスの開口側に取り付けられるボックスカバーとからなり、
前記配線用ボックスには、間隔をおいて設けられた第１係合部及び第２係合部からなる係合部が形成され、前記ボックスカバーには間隔をおいて凸状に形成された第１被係合部及び第２被係合部からなる被係合部が形成されてなり、
前記ボックスカバーは、前記配線用ボックスの開口を閉塞する第１位置と、前記配線用ボックスの開口を露出させる第２位置との間を、前記配線用ボックスの開口面に当接した状態で摺動可能に設けられ、 
前記ボックスカバーが前記配線用ボックスの開口面に当接した状態で前記開口を閉塞する方向への移動により前記第１位置で前記第１係合部と第１被係合部と、かつ、前記第２係合部と第２被係合部とが係合し、ボックスカバーは前記配線用ボックスの開口面に当接した状態で前記開口を露出させる方向への移動により前記第２位置で前記第２係合部と前記第１被係合部とが係合するとともに、第１位置と第２位置との間において前記係合部と前記被係合部との間の係合が解除されて前記配線用ボックスから前記ボックスカバーが取外し可能に構成され、
前記第１被係合部及び第２被係合部は、前記摺動方向の係合溝を有し、前記第１被係合部の係合溝はストッパ部で分割されて両端に第１差込口と第２差込口を有し、該ボックスカバーが配線用ボックスの開口を閉塞すべく摺動する際に前記第１係合部が該第１差込口から前記第１被係合部の係合溝に差し込まれて係合し、該ボックスカバーが該開口を露出すべく摺動する際に前記第２係合部が該第２差込口から前記第１被係合部の係合溝に差し込まれて係合することを特徴とする配線ボックス装置である。
【００１６】
請求項２に記載の発明は、請求項１に記載の配線用ボックス装置において、前記被係合部がボックスカバーの裏面から突設された突設部分を備え、且つ、該ボックスカバーが配線用ボックスの開口面に当接した状態において前記被係合部の前記突設部分から前記配線用ボックス側に垂下した部分が該配線用ボックスの周壁に当接可能に設けられていることを特徴とするものである。
【００１７】
請求項３に記載の発明は、請求項１または２に記載の配線用ボックス装置において、前記係合部は、配線用ボックスの周壁外方に形成されてなることを特徴とするものである。
【００１８】
請求項４に記載の発明は、請求項１乃至請求項３の何れか１項に記載の配線用ボックス装置において、前記ボックスカバーは、前記配線用ボックスの開口を全閉することを特徴とするものである。
【００１９】
請求項５に記載の発明は、請求項１乃至請求項４の何れか１項に記載の配線用ボックス装置において、係合部は、配線用ボックスの周壁外方に形成されてなることを特徴とするものである。
【００２０】
請求項６に記載の発明は、開口を有する配線用ボックスの前記開口の一部又は全部を閉塞すべく前記配線用ボックスの開口側に取り付けられるボックスカバーであって、
前記配線用ボックスには、間隔をおいて設けられた第１係合部及び第２係合部からなる係合部が形成され、前記ボックスカバーには間隔をおいて凸状に形成された第１被係合部及び第２被係合部からなる被係合部が形成されてなり、
前記ボックスカバーは、前記配線用ボックスの開口を閉塞する第１位置と、前記配線用ボックスの開口を露出させる第２位置との間を、前記配線用ボックスの開口面に当接した状態で摺動可能に設けられ、 
前記ボックスカバーが前記配線用ボックスの開口面に当接した状態で前記開口を閉塞する方向への移動により前記第１位置で前記第１係合部と第１被係合部と、かつ、前記第２係合部と第２被係合部とが係合し、前記ボックスカバーは前記配線用ボックスの開口面に当接した状態で前記開口を露出させる方向への移動により前記第２位置で前記第１係合部と前記第２被係合部とが係合するとともに、第１位置と第２位置との間において前記係合部と前記被係合部との間の係合が解除されて前記配線用ボックスから前記ボックスカバーが取外し可能に構成され、
前記第１被係合部及び第２被係合部は、前記摺動方向の係合溝を有し、前記第１被係合部の係合溝はストッパ部で分割されて両端に第１差込口と第２差込口を有し、該ボックスカバーが配線用ボックスの開口を閉塞すべく摺動する際に前記第１係合部が該第１差込口から前記第１被係合部の係合溝に差し込まれて係合し、該ボックスカバーが該開口を露出すべく摺動する際に前記第２係合部が該第２差込口から前記第１被係合部の係合溝に差し込まれて係合することを特徴とするボックスカバーである。
【００２１】
請求項７に記載の発明は、請求項６に記載のボックスカバーにおいて、前記被係合部がボックスカバーの裏面から突設された突設部分を備え、且つ、配線用ボックスの開口面に当接した状態において前記被係合部の前記突設部分から前記ボックス側に垂下した部分が該配線用ボックスの周壁に当接可能に設けられていることを特徴とするものである。
【００２２】
請求項８に記載の発明は、請求項６または７に記載のボックスカバーにおいて、前記ボックスカバーは、前記配線用ボックスの開口を全閉することを特徴とするものである。
【００２３】
請求項９に記載の発明は、請求項６に記載のボックスカバーにおいて、前記ボックスカバーが前記開口面を閉じる方向へ移動して前記開口面を全閉にした状態から前記ボックスカバーの戻り方向への移動を規制する、該ボックスカバーの裏面側へ突出するように規制部を前記ボックスカバーに設けたことを特徴とするものである。
【００２４】
請求項９に記載の発明は、請求項７に記載のボックスカバーにおいて、前記ボックスカバーが前記開口面を閉じる方向へ移動して前記開口面を全閉にした状態から前記ボックスカバーの戻り方向への移動を規制する、該ボックスカバーの裏面側へ突出するように規制部を前記ボックスカバーに設けたことを特徴とするものである。
【００２５】
請求項９に記載の発明は、請求項８に記載のボックスカバーにおいて、前記ボックスカバーが前記開口面を閉じる方向へ移動して前記開口面を全閉にした状態から前記ボックスカバーの戻り方向への移動を規制する、該ボックスカバーの裏面側へ突出するように規制部を前記ボックスカバーに設けたことを特徴とするものである。
【発明の効果】
【００２６】
請求項１に記載の発明によれば、ボックスカバーを配線用ボックスから取り外すことなく、ボックスカバーを配線用ボックスの開口面に沿って往復移動させるだけで、配線用ボックスの開口を閉塞した状態に維持し、又、該開口を露出した状態に維持させることができる。
【００２７】
請求項１に記載の発明によれば、また、第１係合部、及び第２係合部、並びに、第１被係合部、及び第２被係合部を設けることにより、配線用ボックスの開口を閉塞した状態に維持し、又、該開口を露出した状態に維持することができる。
【００２８】
請求項２に記載の発明によれば、ボックスカバーを配線ボックスの開口面に当接させた状態で、被係合部が配線用ボックスの周壁外面に当接する。この状態で、ボックスカバーを移動させると、被係合部が配線用ボックスの周壁外面に当接して当該周壁外面にガイドされながらボックスカバーが移動するため、ボックスカバーは横ズレを起こすことなく姿勢良く移動することができる。そして、ボックスカバーが姿勢良く移動できる結果、被係合部は係合部に円滑に係合することができる。つまり、係合部と被係合部とを係合させる際に、両者は、格別な位置合わせ作業を要することなく、容易に係合することができる。
【００２９】
請求項１に記載の発明によれば、また、第１被係合部がボックスカバーの摺動方向の係合溝を有し、該係合溝はストッパ部で分割されて両端に第１差込口と第２差込口を有しているため、ボックスカバーを往復動させるだけで、配線用ボックスの開口を閉塞した状態に維持し、又、該開口を露出した状態に維持させることができる。
【００３０】
請求項３に記載の発明によれば、係合部が配線用ボックスの周壁外方へ突出するように設けられているため、該係合部によって配線用ボックス内が狭くならず、配線用ボックス内を広く有効に利用することができる。
【００３１】
請求項４に記載の発明によれば、配線用ボックスの開口面を前閉にすることができる。
【００３２】
請求項５に記載の発明によれば、配線用ボックスの開口が不用意に露出しない。
【００３３】
請求項６に記載の発明によれば、ボックスカバーを配線用ボックスから取り外すことなく、ボックスカバーを配線用ボックスの開口面に沿って往復移動させるだけで、配線用ボックスの開口を閉塞した状態に維持し、又、該開口を露出した状態に維持させることができる。
【００３４】
請求項６に記載の発明によれば、また、第１被係合部、及び第２被係合部を設けることにより、配線用ボックスの開口を閉塞した状態に維持し、又、該開口を露出した状態に
維持することができる。
【００３５】
請求項６に記載の発明によれば、また、ボックスカバーを配線ボックスの開口面に当接させた状態で、被係合部が配線用ボックスの周壁に当接する。この状態で、ボックスカバーを移動させると、被係合部が配線用ボックスの周壁に当接して当該周壁にガイドされながらボックスカバーが移動するため、ボックスカバーは横ズレを起こすことなく姿勢良く移動することができる。そして、ボックスカバーが姿勢良く移動できる結果、被係合部は係合部に円滑に係合することができる。つまり、係合部と被係合部とを係合させる際に、両者は、格別な位置合わせ要することなく、容易に係合することができる。
【００３６】
請求項６に記載の発明によれば、また、第１被係合部が、ボックスカバーの摺動方向の係合溝を有し、該係合溝はストッパ部で分割されて両端に第１差込口と第２差込口を有しているため、ボックスカバーを往復動させるだけで、配線用ボックスの開口を閉塞した状態に維持し、又、該開口を露出した状態に維持させることができる。
【発明を実施するための最良の形態】
【００３７】
図１乃至図１０は実施形態を示す。図１は、いわゆる、ブランクタイプの配線用ボックス装置１を配線用ボックス２とボックスカバー３とに分解した状態の分解斜視図を示す。図２はボックスカバー３の裏面図、図３は図２中の第１係合部を矢示Ａ方向から観た状態の図である。図４は図２中の第２係合部を矢示Ｂ方向から観た状態の図、図５は図２中の第１係合部を矢示Ｃ方向から観た状態の図である。図６は第２図中の第２係合部を矢示Ｄ方向から観た状態の図である。図７は配線用ボックス２の開口面４にボックスカバー３を当接させた状態を示す図である。図８は配線用ボックス２の開口面４を閉塞した状態の斜視図である。図９は配線用ボックス２の開口面４を露出すべくボックスカバー３をスライドさせる途中の図である。図１０は配線用ボックス２の開口面４を露出した状態の斜視図である。
【００３８】
図１に示すように、この配線用ボックス装置１は、上のフロアの床（図示せず）の下面と鉄骨との間に取付けられた吊ボルトＶに配線用ボックス２の裏面を取り付けた状態で二重天井内に設けられるものである。
【００３９】
配線用ボックス装置１は、配線用ボックス２とボックスカバー３とを備えている。配線用ボックス２は、前面が開口面４となった横長の直方体状に形成されることができる。
【００４０】
配線用ボックス２とボックスカバー３とは、別体に設けられている。配線用ボックス２の内部は、例えば、配線同士を接続するための空間になっている。配線用ボックス２及びボックスカバー３は合成樹脂で形成されることができる。
【００４１】
配線用ボックス２の開口面４は、上下に対向する一対の上壁５と下壁６と、左右に対向する一対の側壁７，８とからなる周壁によって囲まれている。該開口面４の縁を構成する周壁の端面と、開口面４とは面一になっている。又、該配線用ボックス２は、開口面４と対面して底壁９を備えている。
【００４２】
前記ボックスカバー３は、配線用ボックス２の開口面４に対応した形状である。ボックスカバー３は、該開口面４の縁を形成する周壁の端面に当接しながら、該開口面４を閉塞する位置と、該開口面４を露出させる位置との間を往復移動可能に設けられている。
【００４３】
前記配線用ボックス２の上壁５，下壁６には、横方向に互いに離間した位置に第１，第２係合部１０，１１が形成されている。上壁５，下壁６の第１係合部１０同士及び第２係合部１１同士は互いに上下に対向する位置に設けられている。図１に示すように、第１，第２係合部１０，１１は、配線用ボックス２の開口面４の縁から上下方向の外方へ突設する凸状に形成されることができる。
【００４４】
図２に示すように、前記ボックスカバー３の裏面３ａには、第１，第２被係合部１２，１３が突設されている。第１，第２被係合部１２，１３は、ボックスカバー３の上縁、下縁に横方向に互いに離間して設けられている。配線用ボックス２の開口面４にボックスカバー３の裏面３aが対面し、配線用ボックス２の開口面４が閉塞した状態において、第１係合部１０が第１被係合部１２に対応し、第２係合部１１が第２被係合部１３に対応する位置に、これら第１係合部１０、第２係合部１１、第１被係合部１２、第２被係合部１３が設けられている。
【００４５】
第１被係合部１２は、図３、図５に示すように、ボックスカバー３の裏面３aから直角に立ち上がる立上り部１２Ａと、該立上り部１２Ａの先端からボックスカバーの中心方向へ向けて延設された延設部１２Ｂとから、断面がＬ字状に形成されている。第１被係合部１２とボックスカバー３の裏面３aとの間は、係合溝１２aに成っている。該係合溝１２aは、両端が第１差込口１２bと第２差込口１２cとして開口すると共に、該係合溝１２aの長手方向の中央にはストッパ部１２dが設けられ、且つ、該係合溝１２aの内側面１２eは開口している。
【００４６】
第２被係合部１３は、図４、図６に示すように、ボックスカバー３の裏面３aから直角に立ち上がる立上り部１３Ａと、該立上り部１３Ａの先端からボックスカバーの中心方向へ向けて延設された延設部１３Ｂとから、断面がＬ字状に形成されている。第２被係合部１３とボックスカバー３の裏面３aとの間は、係合溝１３aに成っている。該係合溝１３aは、一端が差込口１３bとして開口し、他端がストッパ部１３cとなって閉塞すると共に、該係合溝１３aの内側面１３dは開口している。
【００４７】
又、図２に示すように、前記ボックスカバー３の側縁には、該ボックスカバー３の裏面３a側へ突出するように規制部１４、１５が設けられている。該規制部１４、１５は、配線用ボックス２の開口面４がボックスカバー３で閉塞された状態で該配線用ボックス２の両側壁７、８の外面に引っ掛かるように突状に形成されている。
【００４８】
次に、配線用ボックス２の開口面４を閉塞し、又、該開口面４を露出するようにボックスカバー４を取り付ける作用について説明する。先ず、配線用ボックス２の開口面４を、ボックスカバー３によって閉塞する場合の作用について説明する。この場合、図７に示すように、配線用ボックス２の開口面４にボックスカバー３の裏面３aを当接させる。
【００４９】
その後、ボックスカバー３を図７中、左方向へ移動させると、図５に示すように、第１係合部１０が第１被係合部１２の第１差込口１２ｂから差し込まれて第１被係合部１２に係合すると共に、該第１係合部１０が第１被係合部１２のストッパ部１２ｄに当接して停止する。又、図６に示すように、配線用ボックス２の第２係合部１１が第２被係合部１３の差込口１３ｂから差し込まれて第２被係合部１３に係合すると共に、該第２係合部１１が第２被係合部１３のストッパ部１３cに当接して停止する。
【００５０】
この時、ボックスカバー３の側縁の規制部１４（図２に示す）が、配線用ボックス２の側壁７の外面に引っ掛かり、又、ボックスカバー３の側縁の規制部１５（図２に示す）が配線用ボックス２の側壁８の外面に当接する。この状態が、図８に示すように、配線用ボックス２の閉塞した状態であって、請求項１に記載の第１位置に該当する。
【００５１】
このように、ボックスカバー３の側縁の規制部１４が配線用ボックス２の側壁７の外面に引っ掛けることによって、ボックスカバー３の戻り方向、即ち、ボックスカバー３が図８中、右方向へスライドして配線用ボックス２から脱落する現象が防止される。又、図５に示すように、第１係合部１０が第１被係合部１２のストッパ部１２dに当接し、図６に示すように、第２係合部１１が第２被係合部１３のストッパ部１３cに当接し、更に、ボックスカバー３の規制部１５が配線用ボックス２の側壁８の外面に当接することにより、ボックスカバー３の図８中、左方向への移動し過ぎが防止される。
【００５２】
又、第１係合部１０が第１被係合部１２の係合溝１２aに係合し、更に、第２係合部１１が第２被係合部１３の係合溝１３aに係合することによって、ボックスカバー３が配線用ボックス２の開口面４から直角方向（図８中、矢示方向）へ離脱する現象が防止される。
【００５３】
次に、配線用ボックス２の開口面４を露出させる作用について説明する。この場合、図８に示す状態から、ボックスカバー３を図８中、右方向へ移動させようとすると、該ボックスカバー３はその裏面３aを配線用ボックス２の開口面４の縁に当接させた状態で、右方向へ移動して、図９に示すように、ボックスカバー３の第１被係合部１２が配線用ボックス２の第２係合部１１に接近する。そして、該配線用ボックス２の第２係合部１１が、ボックスカバー３の第１被係合部１２の第２差込口１２cから差し込まれて第１被係合部１２に係合すると共に第２係合部１１が第１被係合部１２のストッパ部１２dに当接して停止する。この状態が、図１０に示す状態であって、請求項１に記載の第２位置に該当する。
【００５４】
このように、第２係合部１１が第１被係合部１２のストッパ部１２dに当接することにより、ボックスカバー３の開方向（図１０中、右方向）への移動し過ぎが防止される。又、第２係合部１１が第１被係合部１２の係合溝１２aに係合することによって、ボックスカバー３が配線用ボックス２の開口面４から直角方向（図１０中、矢示方向）へ離脱する現象が防止される。
【００５５】
尚、図５に示すように、第１係合部１０が第１被係合部１２の係合溝１２aに挿入され、又、図６に示すように、第２係合部１１が第２被係合部１３の係合溝１３aに挿入された状態で、第１係合部１０と第１被係合部１２との間の摩擦、及び、第２係合部１１と第２被係合部１３との間の摩擦を大きくすることにより、当該摩擦によって、ボックスカバー３が配線用ボックス２から離脱する現象を防止することが可能である。
【００５６】
以上のように、配線用ボックス２の開口面４が閉じた状態から、該配線用ボックス２に対してボックスカバー２を移動させて、配線用ボックス２の開口面４が露出した状態でボックスカバー３が配線用ボックス２に保持されることができるため、作業者は、手でボックスカバー３を把持することなく、両手を効率よく使って、配線器具の取付作業等を行うことができる。
【００５７】
又、配線用ボックス４内の点検，修理の際等に、ボックスカバー３を配線用ボックス２から取外して、床に置いたり、作業者が片手で持ち続けたりする必要がない。このため、作業者は配線用ボックス装置１の点検，修理の際に、脚立を上り下りして、ボックスカバー３を床に置く等の作業が不要となって、配線用ボックス装置１の点検や修理を容易に行うことができる。
【００５８】
そして、配線器具を取り付ける等の作業が終了した後においては、図１０に示す状態から、ボックスカバー３を左方向へ移動させて、第１係合部１０を第１被係合部１２に係合させ、且つ、第２係合部１１を第２被係合部１３に係合させ、更に、ボックスカバー３の規制部１４，１５（図２に示す）を配線用ボックス２の周縁に当接させることにより、ボックスカバー３は、配線用ボックス２の開口面４を閉塞した状態で保持される。
【００５９】
又、図７に示すように、第１係合部１０、第２係合部１１、第１被係合部１２、第２被係合部１３の何れもが互いに係合していない状態において、配線用ボックス２からボックスカバー３を取り外すことが可能である。
【００６０】
以上のように、配線用ボックス２の第１係合部１０にボックスカバー３の第１被係合部１２が係合し、配線用ボックス２の第２係合部１１にボックスカバー３の第２被係合部１３が係合した状態において、配線用ボックス２の開口面４が閉塞状態に維持され、又、図１０に示すように、配線用ボックス２の第２係合部１１にボックスカバー３の第１被係合部１２が係合した状態において配線用ボックス４の開口面４が露出した状態に維持されるものであって、ボックスカバー３は、配線用ボックス２の開口面４が閉塞する状態と該開口面４が露出する状態との間において配線用ボックス２の開口面、即ち、開口面４の縁に沿って往復移動可能になっているものである。
【００６１】
以上の説明においては、図１に示すように、配線用ボックス２の上壁５，下壁６に第１係合部１０、第２係合部１１を横方向に設け、ボックスカバー３の上縁、下縁に横方向に第１被係合部１２と、第２被係合部１３とを設けた場合について説明したが、配線用ボックス２の側壁７、８に第１係合部１０、第２係合部１１を上下方向に間隔を開けて設け、ボックスカバー３の側縁に上下方向に第１被係合部１２と、第２被係合部１３とを設けることにより、ボックスカバー３を配線用ボックス２に対して上下方向へ移動可能に設けることが可能である。
【００６２】
次、前記配線用ボックス、ボックスカバーの具体的な構成について説明する。図１に戻って、配線用ボックス４の上壁５，下壁６，及び側壁７，８にはノックアウト部２０が設けられている。このノックアウト部２０は必要に応じて打ち抜かれることにより、打抜孔２１が開口するものである。該打抜孔２１から配線用ボックス２内へ配線が挿入されることができる。
【００６４】
図１１は、第２実施形態を示す。図１１は、図７の縦断面図である。この第２実施形態の特徴は、ボックスカバー３が配線用ボックス２の開口面４に当接した状態において、第１被係合部１２の延設部１２Ｂと、第２被係合部１３の延設部１３Ｂの先端が、配線用ボックス２の側壁５，６の外面に当接するように形成された点にある。
【００６５】
このように構成することにより、図７に示すように、ボックスカバー３を配線用ボックス２の開口面４に当接した状態において、図１１に示すように、第１被係合部１２の延設部１２Ｂの先端と、第２係合部の延設部１３Ｂの先端が配線用ボックス２の側壁５，６外面に当接することで、ボックスカバー３が配線用ボックス２に対して横ズレを起こすことができないため、配線用ボックス２に対するボックスカバー３の姿勢が自ずから定まる。そして、配線用ボックス２に対して、ボックスカバー３を移動させると、第１被係合部１２の延設部１２Ｂの先端と、第２被係合部１３の延設部１３Ｂの先端が配線用ボックス２の側壁外面に当接してボックスカバー２は横ズレ等の姿勢の変動が規制されながら配線用ボックス２に対して移動して、図１１中、二点鎖線で示すように、第１被係合部１２、第１被係合部１３は第１係合部１０、第２係合部１１に係合することができる。即ち、ボックスカバー３を配線用ボックス２の開口面４に当接させたまま移動させるだけで、第１被係合部１２、第１被係合部１３が、第１係合部１０、第２係合部１１に係合するため、第１被係合部１２、第１被係合部１３を、第１係合部１０、第２係合部１１に係合させる際に特別な位置合わせ等の調節作業を省略させることができる。
【００６６】
図１２は、第３実施形態を示す。同図１２は、配線用ボックス２の開口面にボックスカバー３を当接した状態を、該配線用ボックス２の正面側から観た状態の図である。この第２実施形態においては、ボックスカバー３の第１被係合部３１を、第１実施形態の第２被係合部１３と同形状に形成し、ボックスカバー３の第２被係合部３２を、第１実施形態の第１被係合部１２と同形状に形成した点にある。この第３実施形態において、配線用ボックス２の開口面４を閉塞する場合には、同図１２に示すように、ボックスカバー３の第１被係合部３１を配線用ボックス２の第１係合部１０の左側に位置させ、ボックスカバー３の第２被係合部３２を配線用ボックス２の第２係合部１１の左側に位置させるように、ボックスカバー３の裏面３aを配線用ボックス２に当接させる。この状態において、ボックスカバー３を矢示Ｐ方向へスライドさせると、第１係合部１０と第１被係合部３１とが係合し、又、第２係合部１１と第２被係合部３２とが係合して、配線用ボックス２の開口面４は閉塞する。
【００６７】
一方、配線用ボックス２の開口面４は閉塞した状態から、ボックスカバー３を左方向（図１２中、矢示Ｑ方向）へ移動させると、第１係合部１０が第２被係合部３２に係合した状態になって、配線用ボックス４の開口６が露出する。この第３実施形態においては、配線用ボックス４の開口６が露出した状態において、ボックスカバー５が配線用ボックス２の左側に位置していることになる。この第３実施形態に示す配線用ボックス装置１においても、第１実施形態と同様の作用効果を奏することができる。
【００６８】
又、以上の実施形態では、配線用ボックス２の開口面４を水平方向へ向けた姿勢で該配線用ボックス２を設置した場合について説明したが、該開口面４を下方向や上方向へ向けた姿勢で、配線用ボックス２を設置する場合にも適用できることは勿論である。
【００６９】
又、以上の実施形態では、第１係合部１０及び第２係合部１１を配線用ボックス２の周壁の外方へ突状に設けた場合について説明したが、第１係合部１０及び第２係合部１１を配線用ボックス２の周壁の内方へ突状に設けると共に、このように形成した第１係合部１０及び第２係合部１１が係合可能な形態に第１被係合部及び第２係合部を設けるようにしても良い。
【００７０】
図１３乃至図１６は第４実施形態の配線用ボックス装置を示す。当該第４実施形態の配線用ボックス装置４１は、支骨鉄筋４２等にバー材４３によって取付けられた状態でコンクリートに埋設されて、コンセント等の配線器具と配線とを接続する際に用いられる装置である。
【００７１】
図１３は配線用ボックス装置４１を配線用ボックス４４とボックスカバー４５とに分解した状態の分解斜視図、図１４はボックスカバーの裏面図を示す。図１５は、配線用ボックス装置４１を支骨鉄筋４２等にバー材４３によって取り付けた状態を示す側断面図である。図１６は配線用ボックス装置４１を挟むように型枠Ｋ、Ｋを立設した状態の側断面図である。
【００７２】
配線用ボックス装置４１は、配線用ボックス４４とボックスカバー４５とを備えている。配線用ボックス４４は、前面が開口面４６となった直方体状に形成されることができる。
【００７３】
前記ボックスカバー４５の中央には、コンセント等の配線器具を取り付けるための配線器具取付孔４７が形成されている。
【００７４】
この第４実施形態の特徴は、配線用ボックス４４の各側壁に第１係合部１０，第２係合部１１を設け、ボックスカバー４５の各側縁部の裏面に第１被係合部１２、第２被係合部１３を設けた点にある。第１係合部１０，第２係合部１１は上下方向に互いに離間して設けられている。又、第１被係合部１２、第２被係合部１３は上下方向に互いに離間して設けられている。
【００７５】
又、図１４に示すように、前記ボックスカバー４５の上縁及び下縁には、該ボックスカバーの裏面側へ突出するように規制部１４、１５が設けられている。該規制部１４、１５は、配線用ボックス４４の開口４６がボックスカバー４５で閉塞された状態で該配線用ボックス４４の上壁４８及び下壁４９の外面に引っ掛かるように突状に形成されている。
【００７６】
次、前記配線用ボックス４４、ボックスカバー４５の具体的な構成について説明する。図１３に戻って、前記配線用ボックス４４の底壁には、配線用ボックス４４を前記支骨鉄筋４２に取り付けるためのバー材４３が挿通するバー材挿通部５０が形成されている。又、配線用ボックス４４の周壁にはノックアウト部５１が設けられている。このノックアウト部５１は必要に応じて打ち抜くことにより、打抜孔５２が開口するものである。この打抜孔５２には、コネクタ５３（図１５，図１６に示す）が接続されるものである。該コネクタ５３には、前記配線用ボックス４４内に収容されている配線器具に接続するための配線を挿通する電線管５４（図１５，図１６に示す）が取り付けられるものである。
【００７７】
又、図１３に示すように、前記配線用ボックス４４の上壁４８，下壁４９の内面には、ボス部５５が設けられて、ネジ孔５６が形成されている。
【００７８】
又、ボックスカバー４５には、該ボックスカバー４５が配線用ボックス４４の開口４６を閉塞した状態で、配線用ボックス４４の前記ネジ孔５６に連通するネジ挿通孔５７が形成されることにより、ボックスカバー４５は配線用ボックス４４にネジ５８によってネジ止めされるようになっている。尚、ボックスカバー４５には配線器具取付孔４７が形成されているため、配線用ボックス４４の開口４６は該ボックスカバー４５によってその一部だけが閉塞した状態になる。
【００７９】
次ぎに、配線用ボックス装置４１をコンクリートに埋設する場合について説明する。尚、図１３に示すように、既に、支骨鉄筋４２が設けられているとする。この状態において、配線用ボックス４４のバー材挿通部５０にバー材４３を挿通し、該バー材４３の両端を支骨鉄筋４２に結束することにより、該配線用ボックス４４を支骨鉄筋４２に固定する。このように、以下の説明では、配線用ボックス４４の開口４６が水平方向を向いた状態で配線用ボックス４４が支骨鉄筋４２に取付けられる場合について説明する。
【００８０】
次ぎに、配線用ボックス４４の周壁に設けられたノックアウト部５１を必要に応じて打ち抜き、打抜孔５２を開口した後、図１５に示すように、該打抜孔５２にコネクタ５３の雄ネジ部（図示せず）を挿入して、該雄ネジ部に配線用ボックス４４の内側からロックナット５５を螺着する。これにより、該コネクタ５３とロックナット５５とによって配線用ボックス４４の周壁を挟持するように固定する。次ぎに、電線管５４を前記コネクタ５３内に挿入する。
【００８１】
その後、前述のようにして、配線用ボックス４４の開口４６をボックスカバー４５によって閉塞する。
【００８２】
ところで、仮に、更に多くのノックアウト部５１を打抜いて、打抜孔５２を形成する必要が生じたとする。この場合には、第１実施形態と同様に、配線用ボックス４４の開口面４６を露出させる。
【００８３】
その後、作業者はノックアウト部５１を新たに打抜いて新たな打抜孔５２を開口し、図１４に示すように、該打抜孔５２にコネクタ５３の雄ネジ部（図示せず）を挿入して、前述のように、コネクタ５３を配線用ボックス４４に固定する。次ぎに、電線管５４を前記コネクタ５３内に挿入する。
【００８４】
そして、第１実施形態と同様に、ボックスカバー４５によって、配線用ボックス４４の開口４６を閉塞する。その後、図１３に示すように、ネジ５８をボックスカバー４５のネジ挿通孔５７を挿通させて配線用ボックス４４のネジ孔５６に螺合させることにより、ボックスカバー４５を配線用ボックス４４に固定する。これによって配線用ボックス装置４１が組立てられる。
【００８５】
次ぎに、図１６に示すように、配線用ボックス装置４１を挟むようにして一対の型枠Ｋ，Ｋを立設し、この型枠Ｋ，Ｋの間にコンクリートを打設して、配線用ボックス装置４１がコンクリート内に埋設されるものである。そして、ボックスカバー４５の配線器具取付用孔４７（図１３、図１４に示す）からコンセント等の各種の配線器具を配線用ボックス４４内に配設する一方、前記電線管５４（図１５，図１６に示す）内を挿通して配線されたケーブル（図示せず）を配線器具に接続するものである。
【００８６】
この第４実施形態においても、第１実施形態と同様の作用効果を奏することができる。
【図面の簡単な説明】
【００８７】
【図１】配線用ボックス装置を配線用ボックスとボックスカバーとに分解した状態の分解斜視図である。（第１実施形態）
【図２】ボックスカバーの裏面図である。（第１実施形態）
【図３】図２中矢示Ａ方向から観た状態の図である。（第１実施形態）
【図４】図２中矢示Ｂ方向から観た状態の図である。（第１実施形態）
【図５】図２中矢示Ｃ方向から観た状態の図である。（第１実施形態）
【図６】図２中矢示Ｄ方向から観た状態の図である。（第１実施形態）
【図７】配線用ボックスにボックスカバーを当接させた状態の図である。（第１実施形態）
【図８】配線用ボックスの開口を閉塞させた状態の図である。（第一実施形態）
【図９】配線用ボックスの開口を露出させるべくボックスカバーをスライドさせる途中の図である。（第１実施形態）
【図１０】配線用ボックスの開口を露出させた状態の図である。（第１実施形態）
【図１１】配線用ボックスにボックスカバーを当接させた状態の縦断面図である。（第２実施形態）
【図１２】第２実施形態を示す図９と同様の図である。（第３実施形態）
【図１３】配線用ボックス装置を配線用ボックスとボックスカバーとに分解した状態の分解斜視図である。（第４実施形態）
【図１４】ボックスカバーの裏面図である。（第４実施形態）
【図１５】配線用ボックス装置を前記支骨鉄筋に取り付けた状態の側断面図である。（第４実施形態）
【図１６】配線用ボックス装置を型枠間に設けた状態の側断面図である。（第４実施形態）
【図１７】配線用ボックス装置を配線用ボックスとボックスカバーとに分解した状態の斜視図である。（従来技術）
【図１８】配線用ボックスにボックスカバーを当接させた状態の図である。（従来技術）
【図１９】配線用ボックスの開口を露出させた状態で、該配線用ボックスにボックスカバーを保持させた状態の斜視図である。（従来技術）
【符号の説明】
【００８８】
１  配線用ボックス装置
２  配線用ボックス
３  ボックスカバー
４  開口面
１０  第１係合部
１１  第２係合部
１２  第１被係合部
１３  第２被係合部
１４  規制部
１５  規制部
４１  配線用ボックス装置
４４  配線用ボックス
４５  ボックスカバー
４６  開口面
４７  配線器具取付孔
【図１】
0004705516.tif 000002
【図２】
0004705516.tif 000003
【図３】
0004705516.tif 000004
【図４】
0004705516.tif 000005
【図５】
0004705516.tif 000006
【図６】
0004705516.tif 000007
【図７】
0004705516.tif 000008
【図８】
0004705516.tif 000009
【図９】
0004705516.tif 000010
【図１０】
0004705516.tif 000011
【図１１】
0004705516.tif 000012
【図１２】
0004705516.tif 000013
【図１３】
0004705516.tif 000014
【図１４】
0004705516.tif 000015
【図１５】
0004705516.tif 000016
【図１６】
0004705516.tif 000017
【図１７】
0004705516.tif 000018
【図１８】
0004705516.tif 000019
【図１９】
0004705516.tif 000020